【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
入力画像の補間画素を生成する画像処理装置であって、
前記入力画像の互いに隣接する画素間の輝度差である隣接輝度差に基づいて、前記入力画像が周期パターン部分を含む画像か否かを判定するパターン判定手段と、
補間画素の生成位置が斜め方向のエッジ部分か否かを判定する斜め判定手段と、
補間画素を生成する生成手段であって、画像の動きがあり、且つ、前記斜め判定手段で斜め方向のエッジ部分であると判定された位置に対しては、エッジの方向に存在する画素を用いて補間画素を生成する斜め補間処理を行う生成手段と、を有し、
前記生成手段は、前記パターン判定手段で前記入力画像が周期パターン部分を含む画像であると判定された場合に、前記斜め補間処理を行わずに補間画素を生成することを特徴とする画像処理装置。
【請求項２】
前記画像処理装置は、前記入力画像であるインターレース画像を補間によりプログレッシブ画像に変換する装置であり、
前記生成手段は、動き適応型インターレース・プログレッシブ変換により補間画素を生成する手段であって、画像の動きがあり、且つ、前記斜め判定手段で斜め方向のエッジ部分であると判定された位置に対しては、前記斜め補間処理を行う手段であることを特徴とする請求項１に記載の画像処理装置。
【請求項３】
前記パターン判定手段は、前記入力画像の前記隣接輝度差に基づいて、補間画素の生成位置が周期パターン部分か否かを判定し、
前記生成手段は、前記パターン判定手段で周期パターン部分であると判定された位置に対しては、前記斜め補間処理を行わずに補間画素を生成することを特徴とする請求項１または２に記載の画像処理装置。
【請求項４】
前記パターン判定手段は、
補間画素の生成位置に隣接する水平方向のライン上の、当該生成位置周辺に位置する画素である周辺画素毎に、その周辺画素の輝度値から、水平方向において当該周辺画素に隣接する画素である水平隣接画素の輝度値を減算した値を、水平輝度差として算出し、
前記周辺画素毎の水平輝度差に基づいて、水平隣接画素から周辺画素にかけての輝度値の変化が増加と減少の間で切り替わる位置を水平切り替わり位置として検出し、
水平切り替わり位置の間隔が一定である場合に、補間画素の生成位置が周期パターン部分であると判定することを特徴とする請求項３に記載の画像処理装置。
【請求項５】
前記パターン判定手段は、
前記周辺画素毎に、その周辺画素の輝度値から、垂直方向において当該周辺画素に隣接する画素である垂直隣接画素の輝度値を減算した値を、垂直輝度差として算出し、
前記周辺画素毎の垂直輝度差に基づいて、垂直隣接画素から周辺画素にかけての輝度値の変化が増加と減少の間で切り替わる位置を垂直切り替わり位置として検出し、
水平切り替わり位置の間隔と、垂直切り替わり位置の間隔との少なくとも一方の間隔が一定である場合に、補間画素の生成位置が周期パターン部分であると判定することを特徴とする請求項４に記載の画像処理装置。
【請求項６】
前記パターン判定手段は、水平輝度差に基づいて、水平隣接画素から周辺画素にかけて輝度値が増加しているか、減少しているか、変化していないかを判断し、その判断結果に基づいて水平切り替わり位置を検出することを特徴とする請求項４に記載の画像処理装置。
【請求項７】
前記パターン判定手段は、
水平輝度差に基づいて、水平隣接画素から周辺画素にかけて輝度値が増加しているか、減少しているか、変化していないかを判断し、その判断結果に基づいて水平切り替わり位置を検出し、
垂直輝度差に基づいて、垂直隣接画素から周辺画素にかけて輝度値が増加しているか、減少しているか、変化していないかを判断し、その判断結果に基づいて垂直切り替わり位置を検出することを特徴とする請求項５に記載の画像処理装置。
【請求項８】
前記パターン判定手段は、
水平輝度差に重み係数α（０≦α≦１）を乗算することにより重み付け水平輝度差を算出し、重み付け水平輝度差に基づいて、水平隣接画素から周辺画素にかけて輝度値が増加しているか、減少しているか、変化していないかを判断し、その判断結果に基づいて水平切り替わり位置を検出し、
垂直輝度差に重み係数β（０≦β≦１）を乗算することにより重み付け垂直輝度差を算出し、重み付け垂直輝度差に基づいて、垂直隣接画素から周辺画素にかけて輝度値が増加しているか、減少しているか、変化していないかを判断し、その判断結果に基づいて垂直切り替わり位置を検出することを特徴とする請求項５に記載の画像処理装置。
【請求項９】
前記重み係数αは前記重み係数βよりも大きいことを特徴とする請求項８に記載の画像処理装置。
【請求項１０】
前記隣接輝度差は、輝度値の差の絶対値であり、
前記パターン判定手段は、
前記入力画像の隣接輝度差のヒストグラムの各度数を、隣接輝度差が大きいほど高い重みで重み付け加算し、
重み付け加算して得られた値が閾値より大きい場合に、前記入力画像が周期パターン部分を含む画像であると判定することを特徴とする請求項１または２に記載の画像処理装置。
【請求項１１】
前記パターン判定手段は、
水平方向の隣接輝度差のヒストグラムの各度数を、隣接輝度差が大きいほど高い重みで重み付け加算することにより、水平加算値を算出し、
垂直方向の隣接輝度差のヒストグラムの各度数を、隣接輝度差が大きいほど高い重み
で重み付け加算することにより、垂直加算値を算出し、
前記水平加算値と前記垂直加算値の平均値が閾値より大きい場合に、前記入力画像が周期パターン部分を含む画像であると判定することを特徴とする請求項１０に記載の画像処理装置。
【請求項１２】
前記水平加算値と前記垂直加算値の平均値は、前記垂直加算値よりも前記水平加算値の方が高い重みで前記垂直加算値と前記水平加算値を加重平均した値であることを特徴とする請求項１１に記載の画像処理装置。
【請求項１３】
前記パターン判定手段は、
前記入力画像の輝度値のヒストグラムの度数を、輝度値が低い方から順に累積加算して、累積加算して得られた値が閾値を超えたときの当該ヒストグラムのカテゴリ値を第１の値として算出し、
前記入力画像の輝度値のヒストグラムの度数を、輝度値が高い方から順に累積加算して、累積加算して得られた値が閾値を超えたときの当該ヒストグラムのカテゴリ値を第２の値として算出し、
前記第１の値と前記第２の値を用いて、前記第２の値から前記第１の値を減算した値が大きいほど大きい値を、前記重み付け加算して得られた値と比較する前記閾値として決定することを特徴とする請求項１０〜１２のいずれか１項に記載の画像処理装置。
【請求項１４】
前記パターン判定手段は、前記入力画像の一部の領域の画像である部分画像の隣接輝度差のヒストグラムを用いて、当該部分画像が周期パターン部分を含む画像であるか否かを判定する処理を、前記入力画像を構成する複数の部分画像のそれぞれについて行い、
前記生成手段は、前記パターン判定手段で周期パターン部分を含む画像であると判定された部分画像に対しては、前記斜め補間処理を行わずに補間画素を生成することを特徴とする請求項１０〜１３のいずれか１項に記載の画像処理装置。
【請求項１５】
入力画像の補間画素を生成する画像処理装置の制御方法であって、
前記入力画像の互いに隣接する画素間の輝度差である隣接輝度差に基づいて、前記入力画像が周期パターン部分を含む画像か否かを判定するパターン判定ステップと、
補間画素の生成位置が斜め方向のエッジ部分か否かを判定する斜め判定ステップと、
補間画素を生成する生成ステップであって、画像の動きがあり、且つ、前記斜め判定ステップで斜め方向のエッジ部分であると判定された位置に対しては、エッジの方向に存在する画素を用いて補間画素を生成する斜め補間処理を行う生成ステップと、を有し、
前記生成ステップでは、前記パターン判定ステップで前記入力画像が周期パターン部分を含む画像であると判定された場合に、前記斜め補間処理を行わずに補間画素を生成することを特徴とする画像処理装置の制御方法。
【請求項１６】
前記画像処理装置は、前記入力画像であるインターレース画像を補間によりプログレッシブ画像に変換する装置であり、
前記生成ステップは、動き適応型インターレース・プログレッシブ変換により補間画素を生成するステップであって、画像の動きがあり、且つ、前記斜め判定手段で斜め方向のエッジ部分であると判定された位置に対しては、前記斜め補間処理を行うステップであることを特徴とする請求項１５に記載の画像処理装置の制御方法。
【請求項１７】
前記パターン判定ステップでは、前記入力画像の前記隣接輝度差に基づいて、補間画素の生成位置が周期パターン部分か否かを判定し、
前記生成ステップでは、前記パターン判定ステップで周期パターン部分であると判定された位置に対しては、前記斜め補間処理を行わずに補間画素を生成することを特徴とする請求項１５または１６に記載の画像処理装置の制御方法。
【請求項１８】
前記パターン判定ステップでは、
補間画素の生成位置に隣接する水平方向のライン上の、当該生成位置周辺に位置する画素である周辺画素毎に、その周辺画素の輝度値から、水平方向において当該周辺画素に隣接する画素である水平隣接画素の輝度値を減算した値を、水平輝度差として算出し、
前記周辺画素毎の水平輝度差に基づいて、水平隣接画素から周辺画素にかけての輝度値の変化が増加と減少の間で切り替わる位置を水平切り替わり位置として検出し、
水平切り替わり位置の間隔が一定である場合に、補間画素の生成位置が周期パターン部分であると判定することを特徴とする請求項１７に記載の画像処理装置の制御方法。
【請求項１９】
前記パターン判定ステップでは、
前記周辺画素毎に、その周辺画素の輝度値から、垂直方向において当該周辺画素に隣接する画素である垂直隣接画素の輝度値を減算した値を、垂直輝度差として算出し、
前記周辺画素毎の垂直輝度差に基づいて、垂直隣接画素から周辺画素にかけての輝度値の変化が増加と減少の間で切り替わる位置を垂直切り替わり位置として検出し、
水平切り替わり位置の間隔と、垂直切り替わり位置の間隔との少なくとも一方の間隔が一定である場合に、補間画素の生成位置が周期パターン部分であると判定することを特徴とする請求項１８に記載の画像処理装置の制御方法。
【請求項２０】
前記パターン判定ステップでは、水平輝度差に基づいて、水平隣接画素から周辺画素にかけて輝度値が増加しているか、減少しているか、変化していないかを判断し、その判断結果に基づいて水平切り替わり位置を検出することを特徴とする請求項１８に記載の画像処理装置の制御方法。
【請求項２１】
前記パターン判定ステップでは、
水平輝度差に基づいて、水平隣接画素から周辺画素にかけて輝度値が増加しているか、減少しているか、変化していないかを判断し、その判断結果に基づいて水平切り替わり位置を検出し、
垂直輝度差に基づいて、垂直隣接画素から周辺画素にかけて輝度値が増加しているか、減少しているか、変化していないかを判断し、その判断結果に基づいて垂直切り替わり位置を検出することを特徴とする請求項１９に記載の画像処理装置の制御方法。
【請求項２２】
前記パターン判定ステップでは、
水平輝度差に重み係数α（０≦α≦１）を乗算することにより重み付け水平輝度差を算出し、重み付け水平輝度差に基づいて、水平隣接画素から周辺画素にかけて輝度値が増加しているか、減少しているか、変化していないかを判断し、その判断結果に基づいて水平切り替わり位置を検出し、
垂直輝度差に重み係数β（０≦β≦１）を乗算することにより重み付け垂直輝度差を算出し、重み付け垂直輝度差に基づいて、垂直隣接画素から周辺画素にかけて輝度値が増加しているか、減少しているか、変化していないかを判断し、その判断結果に基づいて垂直切り替わり位置を検出することを特徴とする請求項１９に記載の画像処理装置の制御方法。
【請求項２３】
前記重み係数αは前記重み係数βよりも大きいことを特徴とする請求項２２に記載の画像処理装置の制御方法。
【請求項２４】
前記隣接輝度差は、輝度値の差の絶対値であり、
前記パターン判定ステップでは、
前記入力画像の隣接輝度差のヒストグラムの各度数を、隣接輝度差が大きいほど高い重みで重み付け加算し、
重み付け加算して得られた値が閾値より大きい場合に、前記入力画像が周期パターン部分を含む画像であると判定することを特徴とする請求項１５または１６に記載の画像処理装置の制御方法。
【請求項２５】
前記パターン判定ステップでは、
水平方向の隣接輝度差のヒストグラムの各度数を、隣接輝度差が大きいほど高い重みで重み付け加算することにより、水平加算値を算出し、
垂直方向の隣接輝度差のヒストグラムの各度数を、隣接輝度差が大きいほど高い重みで重み付け加算することにより、垂直加算値を算出し、
前記水平加算値と前記垂直加算値の平均値が閾値より大きい場合に、前記入力画像が周期パターン部分を含む画像であると判定することを特徴とする請求項２４に記載の画像処理装置の制御方法。
【請求項２６】
前記水平加算値と前記垂直加算値の平均値は、前記垂直加算値よりも前記水平加算値の方が高い重みで前記垂直加算値と前記水平加算値を加重平均した値であることを特徴とする請求項２５に記載の画像処理装置の制御方法。
【請求項２７】
前記パターン判定ステップでは、
前記入力画像の輝度値のヒストグラムの度数を、輝度値が低い方から順に累積加算して、累積加算して得られた値が閾値を超えたときの当該ヒストグラムのカテゴリ値を第１の値として算出し、
前記入力画像の輝度値のヒストグラムの度数を、輝度値が高い方から順に累積加算して、累積加算して得られた値が閾値を超えたときの当該ヒストグラムのカテゴリ値を第２の値として算出し、
前記第１の値と前記第２の値を用いて、前記第２の値から前記第１の値を減算した値が大きいほど大きい値を、前記重み付け加算して得られた値と比較する前記閾値として決定することを特徴とする請求項２４〜２６のいずれか１項に記載の画像処理装置の制御方法。
【請求項２８】
前記パターン判定ステップでは、前記入力画像の一部の領域の画像である部分画像の隣接輝度差のヒストグラムを用いて、当該部分画像が周期パターン部分を含む画像であるか否かを判定する処理を、前記入力画像を構成する複数の部分画像のそれぞれについて行い、
前記生成ステップでは、前記パターン判定ステップで周期パターン部分を含む画像であると判定された部分画像に対しては、前記斜め補間処理を行わずに補間画素を生成することを特徴とする請求項２４〜２７のいずれか１項に記載の画像処理装置の制御方法。
【請求項２９】
入力画像の補間画素を生成する画像処理装置であって、
前記入力画像において、前記補間画素が生成される位置が周期パターン部分か否かを判定する判定手段と、
前記補間画素の生成位置が斜め方向のエッジ部分である場合に、斜め補間処理で当該補間画素を生成するための生成手段と、
を備え、
前記生成手段は、前記判定手段が前記補間画素の生成位置が周期パターン部分を含むと判定した場合に、前記斜め補間処理を行わずに当該補間画素を生成する
ことを特徴とする画像処理装置。
【請求項３０】
入力画像の補間画素を生成する画像処理装置の制御方法であって、
前記入力画像において、前記補間画素が生成される位置が周期パターン部分か否かを判定する判定ステップと、
前記補間画素の生成位置が斜め方向のエッジ部分である場合に、斜め補間処理で当該補間画素を生成するための生成ステップと、
を有し、
前記生成ステップでは、前記判定ステップにおいて前記補間画素の生成位置が周期パターン部分を含むと判定された場合に、前記斜め補間処理を行わずに当該補間画素を生成する
ことを特徴とする画像処理装置の制御方法。
【手続補正２】
【補正対象書類名】明細書
【補正対象項目名】０００８
【補正方法】変更
【補正の内容】
【０００８】
本発明の画像処理装置の第１の態様は、
入力画像の補間画素を生成する画像処理装置であって、
前記入力画像の互いに隣接する画素間の輝度差である隣接輝度差に基づいて、前記入力画像が周期パターン部分を含む画像か否かを判定するパターン判定手段と、
補間画素の生成位置が斜め方向のエッジ部分か否かを判定する斜め判定手段と、
補間画素を生成する生成手段であって、画像の動きがあり、且つ、前記斜め判定手段で斜め方向のエッジ部分であると判定された位置に対しては、エッジの方向に存在する画素を用いて補間画素を生成する斜め補間処理を行う生成手段と、
を有し、
前記生成手段は、前記パターン判定手段で前記入力画像が周期パターン部分を含む画像であると判定された場合に、前記斜め補間処理を行わずに補間画素を生成する
ことを特徴とする。
本発明の画像処理装置の第２の態様は、
入力画像の補間画素を生成する画像処理装置であって、
前記入力画像において、前記補間画素が生成される位置が周期パターン部分か否かを判定する判定手段と、
前記補間画素の生成位置が斜め方向のエッジ部分である場合に、斜め補間処理で当該補間画素を生成するための生成手段と、
を備え、
前記生成手段は、前記判定手段が前記補間画素の生成位置が周期パターン部分を含むと判定した場合に、前記斜め補間処理を行わずに当該補間画素を生成する
ことを特徴とする。
【手続補正３】
【補正対象書類名】明細書
【補正対象項目名】０００９
【補正方法】変更
【補正の内容】
【０００９】
本発明の画像処理装置の制御方法の第１の態様は、
入力画像の補間画素を生成する画像処理装置の制御方法であって、
前記入力画像の互いに隣接する画素間の輝度差である隣接輝度差に基づいて、前記入力画像が周期パターン部分を含む画像か否かを判定するパターン判定ステップと、
補間画素の生成位置が斜め方向のエッジ部分か否かを判定する斜め判定ステップと、
補間画素を生成する生成ステップであって、画像の動きがあり、且つ、前記斜め判定ステップで斜め方向のエッジ部分であると判定された位置に対しては、エッジの方向に存在する画素を用いて補間画素を生成する斜め補間処理を行う生成ステップと、
を有し、
前記生成ステップでは、前記パターン判定ステップで前記入力画像が周期パターン部分を含む画像であると判定された場合に、前記斜め補間処理を行わずに補間画素を生成することを特徴とする。
本発明の画像処理装置の制御方法の第２の態様は、
入力画像の補間画素を生成する画像処理装置の制御方法であって、
前記入力画像において、前記補間画素が生成される位置が周期パターン部分か否かを判定する判定ステップと、
前記補間画素の生成位置が斜め方向のエッジ部分である場合に、斜め補間処理で当該補間画素を生成するための生成ステップと、
を有し、
前記生成ステップでは、前記判定ステップにおいて前記補間画素の生成位置が周期パターン部分を含むと判定された場合に、前記斜め補間処理を行わずに当該補間画素を生成する
ことを特徴とする。